(57)【要約】【課題】走査電極及び維持電極を共に駆動する統合ボードに適した表示電極端子部の構造を有するプラズマディスプレイパネルを提供する。【解決手段】相互に対向して配置される第１基板及び第２基板４と、第１基板で第１方向に延びて形成されるアドレス電極と、第１基板と第２基板４との間の空間に配置され、放電セルを画定する隔壁と、第１基板と第２基板４との間で第１方向と交差する第２方向に沿って形成され、複数の走査電極１６及び維持電極１８から構成される表示電極２０と、走査電極１６が第１基板及び第２基板４の第１端部に引出されて形成される走査電極端子部１６ｃと、複数の維持電極１８を連結する連結配線３０と、複数の維持電極１８のうち少なくとも一つの維持電極１８が第１端部に引出されて形成される維持電極端子部１８ｃと、を有する。【選択図】図５
2006156384.tif 000002
【特許請求の範囲】
【請求項１】
相互に対向して配置される第１基板及び第２基板と、
前記第１基板で第１方向に延びて形成されるアドレス電極と、
前記第１基板と前記第２基板との間の空間に配置され、放電セルを画定する隔壁と、
前記第１基板と前記第２基板との間で前記第１方向と交差する第２方向に沿って形成される走査電極及び維持電極からなる複数の表示電極と、
前記走査電極が前記第１基板及び第２基板の第１端部に引出されて形成される走査電極端子部と、
複数の前記維持電極を相互に連結する連結配線と、
前記複数の維持電極のうち少なくとも一つの維持電極が前記第１端部に引出されて形成される維持電極端子部と、を含む、プラズマディスプレイパネル。
【請求項２】
前記複数の表示電極は、前記第１方向に沿って配列される少なくとも２つの電極群に分離される、請求項１に記載のプラズマディスプレイパネル。
【請求項３】
前記複数の表示電極は、前記電極群毎に別個の接続ユニットに接続される、請求項２に記載のプラズマディスプレイパネル。
【請求項４】
前記維持電極端子部は、前記一つの電極群内で最外部に位置する２つの維持電極のうち少なくとも一つの維持電極が前記第１端部に引出されて形成される、請求項２に記載のプラズマディスプレイパネル。
【請求項５】
前記プラズマディスプレイパネルは、表示領域と、当該表示領域の外郭部に沿って形成される非表示領域とに区分され、
前記走査電極端子部及び前記維持電極端子部は、前記非表示領域に形成される、請求項１に記載のプラズマディスプレイパネル。
【請求項６】
前記維持電極の少なくとも一部は、前記非表示領域でバス電極から構成される、請求項５に記載のプラズマディスプレイパネル。
【請求項７】
前記第１基板及び第２基板は、前記第１端部に対向する第２端部を含み、
前記連結配線は、前記第２端部と隣接した非表示領域で前記第１方向に沿って形成され、当該連結配線に向かって延びる複数の前記維持電極の端部と連結される、請求項５に記載のプラズマディスプレイパネル。
【請求項８】
前記複数の維持電極の端部と前記連結配線とが連結される複数の部位のうち、少なくとも２つの部位はラウンド形状を有する、請求項７に記載のプラズマディスプレイパネル。
【請求項９】
前記表示電極は、前記第１方向に沿って配列される少なくとも２つの電極群に分離され、
前記一つの電極群内で最外部に位置する２つの維持電極の端部と前記連結配線とが連結される各部位は、ラウンド形状を有する、請求項７に記載のプラズマディスプレイパネル。
【請求項１０】
前記表示電極は、前記第１方向に沿って配列される第１電極群及び第２電極群の対を含み、前記第１電極群の最外部に位置する一の電極と、前記第２電極群の最外部に位置する他の電極とは、維持電極及び走査電極のうち互いに異なる電極である、請求項１に記載のプラズマディスプレイパネル。
【請求項１１】
前記第１電極群及び前記第２電極群は、別個の接続ユニットに接続される、請求項１０に記載のプラズマディスプレイパネル。
【請求項１２】
所定間隔で対向して配置される第１基板と第２基板との間で隔壁によって複数の放電セルが画定され、当該放電セルに対応して形成される複数の第１電極及び第２電極、ならびに当該第１電極及び第２電極に交差する方向に形成される複数の第３電極を有するプラズマディスプレイパネルと、
前記プラズマディスプレイパネルが付着支持されるシャーシベースと、
前記シャーシベースのプラズマディスプレイパネルとは反対側の面に装着される回路ボードアセンブリと、を含み、
前記プラズマディスプレイパネルは、
前記第１電極が前記プラズマディスプレイパネルの第１端部に引出されて形成される第１電極端子部と、
前記複数の第２電極を相互に連結する連結配線と、
前記複数の第２電極のうち少なくとも一つの第２電極が前記第１端部に引出されて形成される第２電極端子部と、を含む、プラズマディスプレイ装置。
【請求項１３】
前記回路ボードアセンブリは、外部から映像信号を受信して、前記第３電極の駆動に必要な制御信号、ならびに、前記第１電極及び前記第２電極の駆動に必要な制御信号を生成する映像処理及び制御ボードアセンブリと、
前記映像処理及び制御ボードアセンブリからアドレス駆動制御信号を受信して、表示しようとする放電セルを選択するための電圧を前記第３電極に印加するアドレスバッファボードアセンブリと、
前記映像処理及び制御ボードアセンブリから駆動信号を受信して、前記第１電極に駆動電圧を印加し、前記第２電極に基準電圧を印加する統合ボードアセンブリと、
前記プラズマディスプレイパネルの駆動に必要な電源を供給する電源ボードアセンブリと、を含む、請求項１２に記載のプラズマディスプレイ装置。
【請求項１４】
１フレームは、複数のサブフィールドに分割されて駆動され、当該複数のサブフィールドのうち少なくとも一つのサブフィールドは、
放電セルが初期化されるリセット期間と、
点灯される放電セルが選択されるアドレス期間と、
前記選択された放電セルが維持放電される維持期間と、を含み、
前記維持期間には、前記第２電極が前記第１電圧でバイアスされた状態で、前記第１電極に第２電圧と、当該第２電圧より低い第３電圧とが交互に印加されて維持放電が発生する、請求項１２に記載のプラズマディスプレイ装置。
【請求項１５】
前記第２電圧と前記第１電圧との差は、前記第１電圧と前記第３電圧との差と同一である、請求項１４に記載のプラズマディスプレイ装置。
【請求項１６】
前記プラズマディスプレイパネルは、表示領域と、当該表示領域の外郭部に沿って形成される非表示領域とに区分され、
前記第１電極端子部及び第２電極端子部は、前記非表示領域に形成される、請求項１２に記載のプラズマディスプレイ装置。
【請求項１７】
前記第１電極及び第２電極は、前記第３電極の長さ方向に沿って配列される少なくとも２つの電極群に分離され、当該電極群毎に別個の接続ユニットに接続される、請求項１２に記載のプラズマディスプレイ装置。
【発明の詳細な説明】
【技術分野】
【０００１】
本発明は、プラズマディスプレイパネル及びこれを含むプラズマディスプレイ装置に関し、より詳しくは、表示電極を構成する走査電極及び維持電極端子部の構造を改善した、プラズマディスプレイパネル及びこれを含むプラズマディスプレイ装置に関する。
【背景技術】
【０００２】
一般に、プラズマディスプレイパネル（Ｐｌａｓｍａ  Ｄｉｓｐｌａｙ  Ｐａｎｅｌ；ＰＤＰ）は、放電セル内の気体放電によって生成された真空紫外線で蛍光体を励起させて画像を表示するディスプレイ装置である。このようなＰＤＰは、薄型で、高解像度の大画面の構成が可能である長所がある。一方、ＰＤＰは、印加される駆動電圧の波形の形態及び放電セルの構造によって、直流型及び交流形に区分されるが、通常は３電極面放電構造の交流型ＰＤＰが広く使用されている。
【０００３】
一般的な交流型ＰＤＰは、間隔をおいて対向配置される背面基板及び前面基板を含む。背面基板には、各放電セルに対応してアドレス電極、隔壁、及び蛍光体層が形成される。前面基板には、アドレス電極と直交する方向に沿って表示電極が形成され、この表示電極は、機能によって走査電極及び維持電極の対からなる。アドレス電極及び表示電極は誘電層で覆われ、放電セルの内部は放電ガス（主にＮｅ−Ｘｅ混合ガス）で満たされる。
【０００４】
一般に、交流型ＰＤＰは、１フレームが複数のサブフィールドに分割駆動され、各サブフィールドは、リセット期間、アドレス期間、及び維持期間からなる。
【０００５】
リセット期間は、放電セルにアドレシング動作が円滑に行われるように各放電セルの状態を初期化する期間である。アドレス期間は、点灯される放電セル及び点灯されない放電セルを選択して、選択された放電セルに壁電荷を積む動作を行う期間である。そして、維持期間は、点灯される放電セルに実際に画像を表示するための放電を行う期間である。
【０００６】
このような動作を行うために、維持期間では走査電極及び維持電極に交互に維持放電パルスが印加され、リセット期間及びアドレス期間では走査電極にリセット波形及び走査波形が印加される。したがって、走査電極を駆動するための走査駆動ボードアセンブリ、及び維持電極を駆動するための維持駆動ボードアセンブリが別個に存在しなければならない。そして、走査電極と走査駆動ボードアセンブリとの間、及び、維持電極と維持駆動ボードアセンブリとの間を連結するための接続構造が別個に要求される。
【０００７】
通常のＰＤＰでは、走査電極が前面基板の一側端部に引出されて走査電極端子部を形成し、フレキシブル印刷回路（ｆｌｅｘｉｂｌｅ  ｐｒｉｎｔｅｄ  ｃｉｒｃｕｉｔ；ＦＰＣ）が、この端子部に接続されて走査電極と走査駆動ボードアセンブリとを電気的に連結する。また、維持電極は、前面基板の他側端に引出されて維持電極端子部を形成し、フレキシブル印刷回路がこの端子部に接続されて維持電極と維持駆動ボードアセンブリとを電気的に連結する。
【０００８】
このように、一般的なＰＤＰでは、別個の走査駆動ボードアセンブリ及び維持駆動ボードアセンブリがシャーシベースに設置されなければならない。また、別途の工程として、走査電極端子部及び維持電極端子部にフレキシブル印刷回路を接続する作業が要求される。したがって、製造工程数が増加して製造費用が増加するという問題点がある。
【発明の開示】
【発明が解決しようとする課題】
【０００９】
本発明の目的は、走査電極及び維持電極を共に駆動する統合ボードアセンブリを含み、この統合ボードアセンブリに適した表示電極端子部の構造を有するプラズマディスプレイパネル及びこれを含むプラズマディスプレイ装置を提供することにある。
【課題を解決するための手段】
【００１０】
本発明の一実施の形態によるプラズマディスプレイパネルは、相互に対向して配置される第１基板及び第２基板、前記第１基板で第１方向に延びて形成されるアドレス電極、前記第１基板と前記第２基板との間の空間に配置され、放電セルを画定する隔壁、前記第１基板と前記第２基板との間で前記第１方向と交差する第２方向に沿って形成され、走査電極及び維持電極からなる複数の表示電極、前記走査電極が前記第２基板の第１端部に引出されて形成される走査電極端子部、複数の前記維持電極を連結する連結配線、ならびに、前記複数の維持電極のうち少なくとも一つの維持電極が前記第１端部に引出されて形成される維持電極端子部を有する。
【００１１】
前記複数の表示電極は、前記第１方向に沿って配列される少なくとも２つの電極群に分離され、電極群毎に別個の接続ユニットに接続されることが好ましい。
【００１２】
また、前記維持電極端子部は、前記一つの電極群内で最外部に位置する２つの維持電極のうち少なくとも一つの維持電極が前記第１端部に引出されて形成されることが好ましい。
【００１３】
また、本発明の一実施の形態によるプラズマディスプレイパネルは、表示領域と、当該表示領域の外郭部に沿って形成される非表示領域とに区分され、前記走査電極端子部及び前記維持電極端子部は、前記非表示領域に形成されることが好ましい。
【００１４】
前記維持電極の少なくとも一部は、前記非表示領域でバス電極から構成されることが好ましい。
【００１５】
前記第１基板及び前記第２基板は、前記第１端部に対向する第２端部を含み、前記連結配線は、前記第２端部と隣接した非表示領域で第１方向に沿って形成され、当該連結配線に向かって伸びる複数の維持電極の端部と連結されることが好ましい。
【００１６】
前記各電極群で、複数の維持電極の端部と連結配線とが連結される複数の部位のうち、少なくとも２つの部位はラウンド形状を有することが好ましい。
【００１７】
また、一つの電極群内で最外部に位置する２つの維持電極の端部と前記連結配線とが連結される各部位は、ラウンド形状を有することが好ましい。
【００１８】
前記表示電極は、第１方向に沿って配列される第１電極群及び第２電極群の対を含み、第１電極群の最外部に位置する一の電極と、第２電極群の最外部に位置する他の電極とは、異なるものであることが好ましい。この時、第１電極群及び第２電極群は、別個の接続ユニットに接続される。
【００１９】
また、本発明の一実施の形態によるプラズマディスプレイ装置は、プラズマディスプレイパネル、前記プラズマディスプレイパネルが付着支持されるシャーシベース、及び前記シャーシベースのプラズマディスプレイパネルとは反対側の面に装着される回路ボードアセンブリを含み、前記プラズマディスプレイパネルは、走査電極が前記プラズマディスプレイパネルの第１端部に引出されて形成される走査電極端子部と、複数の維持電極を相互に連結する連結配線と、当該複数の維持電極のうち少なくとも一つの維持電極が前記第１端部に引出されて形成される維持電極端子部と、を有することが好ましい。
【００２０】
前記回路ボードアセンブリは、映像処理及び制御ボードアセンブリ、アドレスバッファボードアセンブリ、統合ボードアセンブリ、及び電源ボードアセンブリを含むことが好ましい。前記統合ボードアセンブリは、前記映像処理及び制御ボードアセンブリから駆動信号を受信して、走査電極に駆動電圧を印加し、維持電極に基準電圧を印加することが好ましい。
【００２１】
一方、１フレームは、複数のサブフィールドに分割されて駆動され、少なくとも一つのサブフィールドは、リセット期間、アドレス期間、及び維持期間を含み、前記維持期間には、前記維持電極が第１電圧でバイアスされた状態で、前記走査電極に第２電圧及び当該第２電圧より低い第３電圧が交互に印加されて維持放電が発生することが好ましい。
【００２２】
この場合、前記第２電圧と前記第１電圧との差は、前記第１電圧と前記第３電圧との差と同一である。
【発明の効果】
【００２３】
本発明のプラズマディスプレイパネルでは、第２基板の一側端で一つの電極群内の走査電極端子部及び維持電極端子部が共通の接続ユニットに接続する。そして、共通の接続ユニットによって複数の走査電極及び維持電極が統合ボードアセンブリに連結される。これによって、接続ユニットの個数が減少し、製造工程数が減少して、製造費用を低減することができる。
【発明を実施するための最良の形態】
【００２４】
以下、添付した図面を参照して、本発明の実施の形態について、本発明が属する技術分野における通常の知識を有する者が容易に実施することができるように詳細に説明する。しかし、本発明は多様な相異した形態で実現でき、ここで説明する実施の形態に限定されない。また、図面では、本発明を明確に説明するために、説明上不必要な部分は省略した。明細書全体にわたって類似した部分については、同一な図面符号を付けた。
【００２５】
そして、本発明で言及される壁電荷とは、放電セルの壁（例えば、誘電体層）上で各電極に近く形成される電荷を言う。そして、壁電荷は、実際には電極そのものに接触しないが、ここでは電極に“形成される”、“蓄積される”、または“積まれる”のように説明する。また、壁電圧は、壁電荷によって放電セルの壁に形成される電位差を言う。
【００２６】
図１は、本発明の第１乃至第４の実施の形態によるプラズマディスプレイ装置の分解斜視図である。
【００２７】
図１を参照すれば、本発明の実施の形態におけるプラズマディスプレイ装置は、ＰＤＰ５００、シャーシベース６００、前面ケース７００、及び後面ケース８００を含む。シャーシベース６００は、ＰＤＰ５００の画像が表示される面の反対側に配置されて、ＰＤＰ５００と結合される。また、前面ケース７００はＰＤＰ５００の前面に配置され、後面ケース８００はシャーシベース６００の後面に配置される。そして、前面ケース７００及び後面ケース８００は、ＰＤＰ５００及びシャーシベース６００と結合されて、プラズマディスプレイ装置を形成する。
【００２８】
シャーシベース６００の一の面にはＰＤＰ５００が付着及び支持されて、他の面にはＰＤＰ５００の駆動に必要な複数の回路ボードアセンブリ６１０が形成される。
【００２９】
まず、アドレスバッファボードアセンブリ６２０は、シャーシベース６００の上部及び下部（図面上で）に各々配置される。アドレスバッファボードアセンブリ６２０は、図示されているように複数ボードアセンブリからなることも単一ボードアセンブリからなることもできる。図１ではデュアル駆動をするプラズマディスプレイ装置を例に挙げて説明しているが、シングル駆動をするプラズマディスプレイ装置の場合には、アドレスバッファボードアセンブリ６２０は、シャーシベース６００の上部及び下部のうちのいずれか１ケ所に配置される。このようなアドレスバッファボードアセンブリ６２０は、映像処理及び制御ボードアセンブリ６４０からアドレス駆動制御信号を受信して、表示しようとする放電セルを選択するための電圧を各アドレス電極（第３電極）に印加する。
【００３０】
統合ボードアセンブリ６３０は、シャーシベース６００の左側（図面上で）に配置されている。統合ボードアセンブリ６３０は、走査電極（第１電極）及び維持電極（第２電極）に電気的に連結されていて、維持電極は基準電圧（第１電圧：例えば、０Ｖ）でバイアスされる。統合ボードアセンブリ６３０は、映像処理及び制御ボードアセンブリ６４０から駆動信号を受信して、走査電極に駆動電圧を印加し、維持電極に基準電圧を印加する。そして、図１では統合ボードアセンブリ６３０がシャーシベース６００の左側に配置されることを示したが、シャーシベース６００の右側に配置されることもできる。
【００３１】
映像処理及び制御ボードアセンブリ６４０は、外部から映像信号を受信して、アドレス電極の駆動に必要な制御信号及び走査電極の駆動に必要な制御信号を生成して、各々アドレスバッファボードアセンブリ６２０及び統合ボードアセンブリ６３０に印加する。
【００３２】
そして、電源ボードアセンブリ６５０は、ＰＤＰ５００の駆動に必要な電源を供給する。映像処理及び制御ボードアセンブリ６４０及び電源ボードアセンブリ６５０は、シャーシベース６００の中央に配置される。
【００３３】
図２は、本発明の実施の形態における表示領域の内部構造を説明するために示したプラズマディスプレイパネルの部分分解斜視図である。
【００３４】
図２を参照すれば、ＰＤＰ５００では、第１基板２及び第２基板４が任意の間隔をおいて相互に対向して配置される。第１基板２と第２基板４の間の空間には放電セル６Ｒ，６Ｇ，６Ｂが形成されて、各放電セル６Ｒ，６Ｇ，６Ｂの独立的な放電メカニズムによる可視光の放出によって任意のカラー画像が表示される。
【００３５】
具体的に、第２基板４と対向する第１基板２の内側の面には、第１方向（図面のｙ軸方向）に沿ってアドレス電極８が延びて形成される。そして、アドレス電極８を覆いながら第１基板２全体に第１誘電層１０が形成される。アドレス電極８は、一例として帯状パターンからなって、隣接したアドレス電極８と所定の間隔をおいて並んで位置する。
【００３６】
第１誘電層１０上には放電セル６Ｒ，６Ｇ，６Ｂを画定する格子形態の閉鎖型隔壁１２が形成される。そして、一つの放電セルを形成する隔壁１２の４つの側面及び第１誘電層１０の上面にかけて、赤色、緑色、または青色の蛍光体層１４Ｒ，１４Ｇ，１４Ｂが形成される。隔壁１２は前記の形態に限定されず、帯状または格子形態以外の他の閉鎖型構造からなることもできる。
【００３７】
そして、第１基板２と対向する第２基板４の内側の面には、第１方向と交差する第２方向（図面のｘ軸方向）に沿って表示電極２０が形成される。この表示電極２０は、走査電極１６及び維持電極１８の対からなる。そして、表示電極２０を覆いながら第２基板４全体に透明な第２誘電層２２及びＭｇＯ保護膜２４が形成される。
【００３８】
本実施の形態で、走査電極１６及び維持電極１８は、バス電極１６ａ，１８ａ及び突出電極１６ｂ，１８ｂを含む。バス電極１６ａ，１８ａは、各放電セル６Ｒ，６Ｇ，６Ｂの外郭部に一対が対応するように形成される。突出電極１６ｂ，１８ｂは、バス電極１６ａ，１８ａから各放電セル６Ｒ，６Ｇ，６Ｂの内部に向かって延びて一対が対向するように形成される。突出電極１６ｂ，１８ｂは、放電セル６Ｒ，６Ｇ，６Ｂの内部でプラズマ放電を起こす役割を果たす。そして、輝度の確保のために、突出電極１６ｂ，１８ｂは透明なＩＴＯ（インジウムスズ酸化物）で形成されることが好ましいが、必ずしもこれに限定されず、金属のような不透明電極で形成されることもできる。
【００３９】
第１基板２及び第２基板４は、フリット（ｆｒｉｔ）のようなシーリング材（図示せず）によって周縁部が一体に接合される。その後、放電セル６Ｒ，６Ｇ，６Ｂの内部に放電ガス（主にＮｅ−Ｘｅ混合ガス）が満たされた状態で密封されて、ＰＤＰ５００が構成される。
【００４０】
次に、図３を参照して、本発明の実施の形態に適用可能なＰＤＰの駆動波形について説明する。以下では、便宜上、一つの放電セルを構成する走査電極、維持電極、及びアドレス電極に印加される駆動波形についてのみ説明する。図示した駆動波形で、走査電極及び維持電極に印加される電圧は統合ボードアセンブリから供給され、アドレス電極に印加される電圧はアドレスバッファボードアセンブリから供給される。この時、維持電極には基準電圧（本実施の形態では接地電圧）だけが印加されるので、維持電極に印加される電圧については説明を省略する。
【００４１】
図３を参照すれば、一つのサブフィールドはリセット期間、アドレス期間、及び維持期間からなり、リセット期間は上昇期間及び下降期間からなる。なお、複数のサブフレームより１フレームは構成される。
【００４２】
リセット期間の上昇期間では、アドレス電極が基準電圧（図３では０Ｖ）に維持された状態で、走査電極の電圧（Ｙ）がＶｓ電圧からＶｓｅｔ電圧まで漸進的に増加する。図３では走査電極の電圧がランプ形態で増加することを示した。走査電極の電圧が増加する間に、走査電極と維持電極との間及び走査電極とアドレス電極との間に微弱な放電が起こりながら、走査電極に（−）壁電荷が形成され、維持電極及びアドレス電極に（＋）壁電荷が形成される。リセット期間では、全ての放電セルの状態を初期化しなければならないので、Ｖｓｅｔ電圧は全ての条件の放電セルで放電が起こる程度に高い電圧である。
【００４３】
次に、リセット期間の下降期間では、走査電極の電圧がＶｓ電圧からＶｎｆ電圧まで漸進的に減少する。そうすると、走査電極と維持電極との間及び走査電極とアドレス電極との間で微弱な放電が起こりながら、走査電極に形成された（−）壁電荷、ならびに、維持電極及びアドレス電極に形成された（＋）壁電荷が消去される。これによって、維持電極と走査電極との間の壁電圧がほぼ０Ｖになって、アドレス期間でアドレス放電が起こらない放電セルが維持期間で誤放電を起こすのを防止することができる。
【００４４】
次に、アドレス期間で点灯される放電セルを選択するために、走査電極及びアドレス電極に各々ＶｓｃＬ電圧を有する走査パルス及びＶａ電圧を有するアドレスパルスが印加される。そして、選択されない放電セルの走査電極はＶｓｃＬ電圧より高いＶｓｃＨ電圧でバイアスされて、選択されない放電セルのアドレス電極には基準電圧が印加される。そうすると、選択された放電セルでアドレス電極と走査電極との間に放電が起こって、走査電極に（＋）壁電荷が形成され、アドレス電極及び維持電極に各々（−）壁電荷が形成される。その結果、走査電極と維持電極との間に走査電極の電位が維持電極の電位に対して高くなるように壁電圧（Ｖｗｘｙ）が形成される。
【００４５】
次に、維持期間では、アドレス期間でアドレス放電が起こった放電セルに対して、走査電極にまず第２電圧（以下“Ｖｓ電圧”という）を有するパルスを印加して、走査電極と維持電極との間で維持放電を起こす。この時、Ｖｓ電圧は走査電極と維持電極との間の放電開始電圧（Ｖｆｘｙ）より低く、Ｖｓ＋Ｖｗｘｙ電圧はＶｆｘｙ電圧より高くなるように設定される。維持放電の結果、走査電極に（−）壁電荷が形成され、維持電極及びアドレス電極に各々（＋）壁電荷が形成されて、走査電極に対する維持電極の壁電圧（Ｖｗｘｙ）が高い電圧に形成される。
【００４６】
次に、走査電極に第３電圧（以下“−Ｖｓ電圧”という）を有するパルスを印加して、走査電極と維持電極との間に維持放電を起こす。その結果、走査電極に（＋）壁電荷が形成され、維持電極及びアドレス電極に各々（−）壁電荷が形成される。これによって、走査電極にＶｓ電圧が印加される時に維持放電が起こる状態になる。その後、走査電極にＶｓ電圧を有する維持放電パルスを印加する過程及び−Ｖｓ電圧を有する維持放電パルスを印加する過程を当該サブフィールドが表示する加重値に対応する回数だけ繰り返す。
【００４７】
このように、本実施の形態によるＰＤＰは、前記駆動波形に基づいて走査電極１６及び維持電極１８を共に駆動させる統合ボードアセンブリを含むことができる。つまり、統合ボードアセンブリの実現は、本実施の形態のＰＤＰが維持電極に一定の基準電圧のみを印加した状態で、リセット期間、アドレス期間、及び維持期間で走査電極にリセット波形、走査波形、及び維持放電パルスを印加する駆動方式に基づくことができる。
【００４８】
次に、統合ボードアセンブリに適した走査電極１６及び維持電極１８端子部の構造について説明する。
【００４９】
図４は、本発明の第１の実施の形態によるプラズマディスプレイパネルの表示電極を示した第２基板の平面図であり、図５は、表示電極の部分拡大図である。また、図６は、本実施の形態におけるプラズマディスプレイパネルの表示電極及び接続ユニットを示した第２基板の平面図である。
【００５０】
図４乃至図６を参照すれば、ＰＤＰは、放電セルが位置して実質的な表示が行われる表示領域１００と、表示領域１００の外郭部に沿って設定される非表示領域２００とに区分される。そして、走査電極１６は、第２基板４の第１端部（一例として図面を基準に左側周縁部）に引出されて非表示領域２００上に走査電極端子部１６ｃが形成される。複数の維持電極１８は、連結配線３０によって電気的に連結される一方、いずれか一つの維持電極１８が走査電極端子部１６ｃと同一な方向の第１端部に引出されて維持電極端子部１８ｃが形成される。特に、表示電極２０は、アドレス電極の長さ方向（図面のｙ軸方向）に沿って配列される少なくとも２つの電極群２８に分離される。また、各電極群２８別に、走査電極１６及び走査電極端子部１６ｃ、ならびに、維持電極１８及び維持電極端子部１８ｃの構造を有する。
【００５１】
この端子部１６ｃ，１８ｃにはフレキシブル印刷回路（ＦＰＣ）のような接続ユニット２６（図６参照）が接続されて、ＰＤＰの駆動に必要な電圧の印加を受ける。図面では、便宜上、表示電極端子部及びこれに接続される接続ユニットのみを示した。
【００５２】
一方、各電極群２８で、維持電極１８は、第２基板４の第２端部（一例として図面を基準に右側周縁）に向かって延びて、非表示領域２００に維持電極１８の端部が位置する。そして、非表示領域２００上で連結配線３０が維持電極１８と直交する方向に沿って形成されて、維持電極１８の端部と連結配線３０とが互いに連結される。この時、維持電極１８は、より大きい導電性の確保のために、非表示領域２００上でその一部がバス電極だけから構成されることができる。
【００５３】
維持電極端子部１８ｃは、一つの電極群２８を構成する複数の維持電極１８において最外部に位置する２つの維持電極１８のうちの少なくともいずれか一つの維持電極（一例として図面で維持電極の最上部に位置する一つの維持電極）１８から延長されたものであることができる。前記端子部１６ｃ，１８ｃの構造を有する表示電極２０は、電極群２８別に別個の接続ユニット２６に接続されて、統合ボードアセンブリと連結される。つまり、一つの電極群２８内の走査電極１６から延長された走査電極端子部１６ｃ及び一つの維持電極１８から延長された維持電極端子部１８ｃが一つの接続ユニット２６に共に接続されて、統合ボードアセンブリと連結される。これによって、本実施の形態のＰＤＰは、接続ユニット２６の個数を減少させることができ、製造工程数が減少して、製造費用を低減する長所を有する。
【００５４】
この時、一つの接続ユニット２６に接続される走査電極端子部１６ｃは、斜線部によって電極ピッチが減少する。これによって、走査電極端子部１６ｃは、表示領域１００での電極ピッチより小さい電極ピッチを有する。
【００５５】
図７は、本発明の第２の実施の形態によるプラズマディスプレイパネルの表示電極を示した第２基板の部分平面図である。
【００５６】
図７を参照すれば、本実施の形態によるＰＤＰにおいて、維持電極端子部２１８ｃは、一つの電極群２２８内に位置する複数の維持電極２１８のうちの最外部に位置する２つの維持電極２１８から延長されて形成される。つまり、最外部に位置する２つの維持電極２１８は、走査電極端子部２１６ｃと同一な方向の第２基板４の端部に引出されて維持電極端子部２１８ｃが形成される。これによって、各電極群２２８で、２つの維持電極端子部２１８ｃが統合ボードアセンブリから同時に基準電圧の印加を受ける。
【００５７】
一方、一つの電極群２８，２２８内で維持電極端子部１８ｃ，２１８ｃを形成する維持電極１８，２１８の位置は、上記実施の形態に限定されない。
【００５８】
図８は、本発明の第３の実施の形態によるプラズマディスプレイパネルの表示電極を示した第２基板の部分平面図である。
【００５９】
図８を参照すれば、本実施の形態によるＰＤＰでは、前記第１の実施の形態の構造を基本としながら、各電極群３２８内で維持電極３１８の端部と連結配線３３０とが連結される少なくとも２つの部位が所定の曲率のラウンド形状を有する。より好ましくは、一つの電極群３２８内で最外部に位置する２つの維持電極３１８の端部と連結配線３３０とが連結される各部位がラウンド形状を有する。
【００６０】
維持電極３１８の端部及び連結配線３３０が連結される部位が直角形状を有すると、第２基板上に電極パターンを形成する過程で維持電極３１８及び連結配線３３０が断線するおそれがある。つまり、電極パターンの形成過程は、第２基板上に電極物質層を形成し、不必要な部位の電極物質層をエッチング及び現像などで除去する段階を含む。このような電極パターンの形成過程で、維持電極３１８と連結配線３３０との間の接触部位で過エッチングが起こることがあり、この場合、維持電極３１８及び連結配線３３０が断線する危険がある。
【００６１】
したがって、本発明の第３の実施の形態によれば、最外部に位置する維持電極３１８の端部及び連結配線３３０が連結される部位がラウンド形状を有するので、前記電極物質層のエッチング及び現像過程で断線するおそれが減少する。
【００６２】
図９は、本発明の第４の実施の形態によるプラズマディスプレイパネルの表示電極を示した第２基板の部分平面図である。
【００６３】
図９を参照すれば、本実施の形態で、表示電極４２０は、図面のｙ軸方向に沿って配列される第１電極群４２８ａ及び第２電極群４２８ｂの対を含む。そして、第１電極群４２８ａ及び第２電極群４２８ｂは、別個の接続ユニットを通じて統合ボードアセンブリに接続される。また、このような第１電極群４２８ａの最外部に位置する一の電極及び第２電極群４２８ｂの最外部に位置する他の電極は、互いに異なるものである。
【００６４】
言い換えると、第１電極群４２８ａの最外部には維持電極４１８が配置され、第２電極群４２８ｂの最外部には走査電極４１６が配置される。そして、第１電極群４２８ａに位置する少なくとも一つの維持電極４１８及び第２電極群４２８ｂに位置する少なくとも一つの維持電極４１８が第２基板４の第１端部に引出されて維持電極端子部４１８ｃが形成される。図面では、一例として、第１電極群４２８ａで最上部に位置する維持電極４１８及び第２電極群４２８ｂで最下部に位置する維持電極４１８が引出されて維持電極端子部４１８ｃが形成されることを示した。なお、２つの維持電極４１８の端部と連結配線３０とが連結される各部位は、ラウンド形状を有することができる。
【００６５】
この時、第１電極群４２８ａの第２電極群４２８ｂに隣接して配置される維持電極４１８及び第２電極群４２８ｂの第１電極群４２８ａに隣接して配置される走査電極４１６が一つの放電セル（図面でＡ領域で表示）を構成する。
【００６６】
前記では、本発明の好ましい実施の形態について説明したが、本発明はこれに限定されず、特許請求の範囲、発明の詳細な説明、及び添付した図面の範囲内で多様に変形して実施することが可能であり、これも本発明の範囲に当然属する。
【図面の簡単な説明】
【００６７】
【図１】本発明の第１乃至第４の実施の形態によるプラズマディスプレイ装置の分解斜視図である。
【図２】表示領域の内部構造を説明するために示したプラズマディスプレイパネルの部分分解斜視図である。
【図３】本発明の第１乃至第４の実施の形態によるプラズマディスプレイパネルに適用可能な駆動波形図である。
【図４】本発明の第１の実施の形態によるプラズマディスプレイパネルの表示電極を示した第２基板の平面図である。
【図５】図１の部分拡大図である。
【図６】本発明の第１の実施の形態によるプラズマディスプレイパネルの表示電極及び接続ユニットを示した第２基板の平面図である。
【図７】本発明の第２の実施の形態によるプラズマディスプレイパネルの表示電極を示した第２基板の部分平面図である。
【図８】本発明の第３の実施の形態によるプラズマディスプレイパネルの表示電極を示した第２基板の部分平面図である。
【図９】本発明の第４の実施の形態によるプラズマディスプレイパネルの表示電極を示した第２基板の部分平面図である。
【符号の説明】
【００６８】
２    第１基板、
４    第２基板、
６    放電セル、
８    アドレス電極、
１０    第１誘電層、
１２    隔壁、
１４    蛍光体層、
１６，４１６    走査電極、
１８，２１８，３１８，４１８    維持電極、
１６ａ，１８ａ    バス電極、
１６ｂ，１８ｂ    突出電極、
１６ｃ，１８ｃ    端子部、
２０，４２０    表示電極、
２２    第２誘電層、
２４    ＭｇＯ保護膜、
２６    接続ユニット、
２８，２２８，３２８    電極群、
３０，３３０    連結配線、
１００    表示領域、
２００    非表示領域、
５００    ＰＤＰ、
６００    シャーシベース、
６１０    回路ボードアセンブリ、
６２０    アドレスバッファボードアセンブリ、
６３０    統合ボードアセンブリ、
６４０    映像処理及び制御ボードアセンブリ、
６５０    電源ボードアセンブリ、
７００    前面ケース、
８００    後面ケース。
【図１】
2006156384.tif 000003
【図２】
2006156384.tif 000004
【図３】
2006156384.tif 000005
【図４】
2006156384.tif 000006
【図５】
2006156384.tif 000007
【図６】
2006156384.tif 000008
【図７】
2006156384.tif 000009
【図８】
2006156384.tif 000010
【図９】
2006156384.tif 000011